(57)【要約】【課題】多数の昇降装置を必要とせず、吊構造建物の各階の階高を容易に変更することのできる方法を提供する。【解決手段】階高を変更する階（以下、階高変更階という）よりも上の何れかの階の梁床部材４０又は水平部材１０に反力を取りながら、階高変更階又は当該階高変更階よりも下の何れかの階の梁床部材４０を昇降させることが可能な昇降装置７０を設置し、階高変更階の吊柱５０の少なくとも一部を撤去し、昇降装置７０により、階高変更階又は当該階高変更階よりも下の何れかの階の梁床部材４０を昇降させることにより、階高変更階の階高を変更し、少なくとも一部を解体した吊柱５０を変更後の階高に合わせて再構築する。【選択図】図５
2008255746.tif 000002
【特許請求の範囲】
【請求項１】
所定の階数範囲内の各階の梁部材、梁床部材又は床部材（以下、梁部材等という）が、所定の高さに支持された主ビームから、当該梁部材等と同じ階及びこれより上階の吊柱を介して吊下された構成を有する吊構造建物の階高変更方法であって、
前記所定の階数範囲内の各階のうち階高を変更する階（以下、階高変更階という）よりも上の何れかの階の梁部材等又は前記主ビームに反力を取りながら、前記階高変更階又は当該階高変更階から当該階高変更階よりも下の所定の階までの階の梁部材等を昇降させることが可能な昇降装置を設置する昇降装置設置工程と、
前記階高変更階の吊柱の少なくとも一部を撤去し又は当該吊柱を伸縮可能な状態とする第１の吊柱作業工程と、
前記昇降装置により、前記階高変更階又は当該階高変更階から前記所定の階までの階の梁部材等を昇降させることにより、当該階高変更階の階高を変更する階高変更工程と、
前記階高変更階の変更後の階高に合わせて、少なくとも一部を解体した前記吊柱を再構築し、又は前記伸縮可能な状態とした前記吊柱を伸縮させてその長さに固定する第２の吊柱作業工程と、を備えることを特徴とする吊構造建物の階高の変更方法。
【請求項２】
請求項１記載の吊構造建物の階高の変更方法であって、
前記主ビームは、前記梁部材等の周囲に立設された支持部材により所定の高さに支持されており、
前記所定の階数範囲内の各階の前記梁部材等と前記支持部材とは連結部材を介して接続されており、
前記第１の吊柱作業工程では、さらに、前記階高変更階及び当該階高変更階よりも下の全ての階の梁部材等と前記支持部材との間を連結する前記連結部材を撤去し、
前記第２の吊柱作業工程では、さらに、前記所定の階数範囲内の前記階高変更階及び当該階高変更階よりも下の全ての階の梁部材等と、前記支持部材とを連結部材を介して接続することを特徴とする吊構造建物の階高の変更方法。
【請求項３】
前記昇降装置設置工程では、
前記昇降装置を、前記階高変更階の直上の階の梁部材等に反力を取りながら、前記階高変更階の梁部材等を昇降させるように設置することを特徴とする請求項１又は２記載の吊構造建物の階高の変更方法。
【請求項４】
前記昇降装置設置工程では、
前記昇降装置を、前記主ビームに反力を取りながら、前記階高変更階及び当該階高変更階よりも下の全ての階の梁部材等を昇降させるように設置することを特徴とする請求項１又は２記載の吊構造建物の階高の変更方法。
【請求項５】
前記昇降装置は、前記階高変更階又は前記所定の階の梁部材等に下端が定着された吊り材と、
前記階高変更階よりも上の何れかの階の梁部材等又は前記主ビームに取り付けられ、前記吊り材の上部を支持するとともに前記吊り材を昇降させることが可能な昇降機構と、で構成され、
前記階高変更工程では、前記昇降機構が前記吊り材を昇降させることにより、前記階高変更階又は当該階高変更階から前記所定の階までの前記梁部材等を昇降させることを特徴とする請求項１から４何れかに記載の吊構造建物の階高変更方法。
【請求項６】
前記昇降装置は、階高を変更する階よりも上の何れかの階の梁部材等又は前記主ビームに上端が定着された吊り材と、
前記階高変更階又は前記所定の階の梁部材等の下側に取り付けられ、前記吊り材を支持するとともに、前記吊り材に沿って昇降可能な昇降機構と、で構成され、
前記階高変更工程では、前記昇降機構が前記吊り材に沿って上昇又は下降することにより、前記階高変更階又は当該階高変更階から前記所定の階までの前記梁部材等を昇降させることを特徴とする請求項１から４何れかに記載の吊構造建物の階高変更方法。
【請求項７】
前記吊柱は内部に前記吊り材を挿通可能であり、
前記梁部材等の前記吊柱が接続された部位には貫通孔が設けられており、
前記昇降装置設置工程では、前記吊り材を前記吊柱の内部及び前記梁部材等の貫通孔を貫通するように前記昇降装置を設置することを特徴とする請求項５又は６記載の吊構造建物の階高の変更方法。
【請求項８】
前記昇降装置設置工程では、前記梁部材等の前記吊柱の接続された位置以外の部位に鉛直方向に並ぶように貫通孔を設け、前記吊り材を前記貫通孔を挿通するように設置することを特徴とする請求項５又は６記載の吊構造建物の階高の変更方法。
【請求項９】
前記吊柱は、下階側の前記梁部材等に接続された下部柱と、上階側の前記梁部材等に接続された上部柱と、前記下部柱と前記上部柱の間に取り外し可能に連結された階高調整部材と、から構成され、
前記第１の吊柱作業工程では、前記階高変更階の前記階高調整部材を撤去し、
前記第２の吊柱作業工程では、変更後の階高に合わせて製造された階高調整部材を設置することを特徴とする請求項１から８何れかに記載の吊構造建物の階高の変更方法。
【請求項１０】
所定の階数範囲内の各階の梁部材、梁床部材又は床部材（以下、梁部材等という）が、所定の高さに支持された主ビームから、当該梁部材等と同じ階及びこれより上階の吊柱を介して吊下された構成を有する吊構造建物に設けられた吊柱であって、
下階側の前記梁部材等に接続された下部柱と、上階側の前記梁部材等に接続された上部柱と、前記下部柱と前記上部柱の間に取り外し可能に連結された階高調整部材と、から構成されることを特徴とする吊柱。
【発明の詳細な説明】
【技術分野】
【０００１】
本発明は、メガフレームより複数の梁床部材を吊持してなる吊構造建物の階高の変更方法及びこの吊構造建物に用いられる吊柱に関する。
【背景技術】
【０００２】
近年、階高を自在に変更できるようにして、各種目的に応じた所望の室内空間を確保することができるような建物が望まれている。そこで、例えば、特許文献１には、吊構造建物における各階の梁床部材を夫々異なる鋼線により吊持し、各鋼線をメガフレームの水平部材に設けた昇降装置により巻き取ることで、各階の階高を容易に変更できる吊構造建物が記載されている。
【特許文献１】特開平８―４１８４号公報
【発明の開示】
【発明が解決しようとする課題】
【０００３】
しかしながら、上記の吊構造建物では、各階の床スラブを吊持する鋼線に対応して夫々昇降装置を設けなければならず、コスト高になるという問題がある。
【０００４】
本発明は、上記の問題に鑑みなされたものであり、その目的は、多数の昇降装置を必要とせず、吊構造建物の各階の階高を容易に変更することのできる方法を提供することである。
【課題を解決するための手段】
【０００５】
本発明の吊構造建物の階高変更方法は、所定の階数範囲内の各階の梁部材又は梁床部材（以下、梁部材等という）が、所定の高さに支持された主ビームから、当該梁部材等と同じ階及びこれより上階の吊柱を介して吊下された構成を有する吊構造建物の階高変更方法であって、前記所定の階数範囲内の各階のうち階高を変更する階（以下、階高変更階という）よりも上の何れかの階の梁部材等又は前記主ビームに反力を取りながら、前記階高変更階又は当該階高変更階から当該階高変更階よりも下の所定の階までの階の梁部材等を昇降させることが可能な昇降装置を設置する昇降装置設置工程と、前記階高変更階の吊柱の少なくとも一部を撤去し又は当該吊柱を伸縮可能な状態とする第１の吊柱作業工程と、前記昇降装置により、前記階高変更階又は当該階高変更階から前記所定の階までの階の梁部材等を昇降させることにより、当該階高変更階の階高を変更する階高変更工程と、前記階高変更階の変更後の階高に合わせて、少なくとも一部を解体した前記吊柱を再構築し、又は前記伸縮可能な状態とした前記吊柱を伸縮させてその長さに固定する第２の吊柱作業工程と、を備えることを特徴とする。
【０００６】
ここで、前記主ビームは、前記梁部材等の周囲に立設された支持部材により所定の高さに支持されており、前記所定の階数範囲内の各階の前記梁部材等と前記支持部材とは、連結部材を介して接続されており、前記第１の吊柱作業工程では、さらに、前記階高変更階及び当該階高変更階よりも下の全ての階の梁部材等と、前記支持部材との間を連結する前記連結部材を撤去し、前記第２の吊柱作業工程では、さらに、前記所定の階数範囲内の前記階高変更階及び当該階高変更階よりも下の全ての階の梁部材等と、前記支持部材とを連結部材を介して接続してもよい。
【０００７】
また、前記昇降装置設置工程では、前記昇降装置を、前記階高変更階の直上の階の梁部材等に反力を取りながら、前記階高変更階の梁部材等を昇降させるように設置してもよい。
また、前記昇降装置設置工程では、前記昇降装置を、前記主ビームに反力を取りながら、前記階高変更階及び当該階高変更階よりも下の全ての階の梁部材等を昇降させるように設置してもよい。
【０００８】
また、前記昇降装置は、前記階高変更階又は当該階高変更階よりも下の何れかの階の梁部材等に下端が定着された吊り材と、前記階高変更階よりも上の何れかの階の梁部材等又は前記主ビームに取り付けられ、前記吊り材の上部を支持するとともに前記吊り材を昇降させることが可能な昇降機構と、で構成され、前記階高変更工程では、前記昇降機構が前記吊り材を昇降させることにより、前記階高変更階又は当該階高変更階から前記所定の階までの前記梁部材等を昇降させてもよい。
【０００９】
また、前記昇降装置は、階高を変更する階よりも上の何れかの階の梁部材等又は前記主ビームに上端が定着された吊り材と、前記階高変更階又は当該階高変更階よりも下の何れかの階の梁部材等の下側に取り付けられ、前記吊り材を支持するとともに、前記吊り材に沿って昇降可能な昇降機構と、で構成され、前記階高変更工程では、前記昇降機構が前記吊り材に沿って上昇又は下降することにより、前記階高変更階又は当該階高変更階から前記所定の階までの前記梁部材等を昇降させさせてもよい。
【００１０】
また、前記吊柱は内部に前記吊り材を挿通可能であり、前記梁部材等の前記吊柱が接続された部位には貫通孔が設けられており、前記昇降装置設置工程では、前記吊り材を前記吊柱の内部及び前記梁部材等の貫通孔を貫通するように前記昇降装置を設置してもよい。
また、前記昇降装置設置工程では、前記梁部材等の前記吊柱の接続された位置以外の部位に鉛直方向に並ぶように貫通孔を設け、前記吊り材を前記貫通孔を挿通するように前記吊り材を設置してもよい。
【００１１】
前前記吊柱は、下階側の前記梁部材等に接続された下部柱と、上階側の前記梁部材等に接続された上部柱と、前記下部柱と前記上部柱の間に取り外し可能に連結された階高調整部材と、から構成され、前記第１の吊柱作業工程では、前記階高変更階の前記階高調整部材を撤去し、前記第２の吊柱作業工程では、変更後の階高に合わせて製造された階高調整部材を設置してもよい。
【００１２】
また、本発明の吊柱は、所定の階数範囲内の各階の梁部材、梁床部材又は床部材（以下、梁部材等という）が、所定の高さに支持された主ビームから、当該梁部材等と同じ階及びこれより上階の吊柱を介して吊下された構成を有する吊構造建物に設けられた吊柱であって、下階側の前記梁部材等に接続された下部柱と、上階側の前記梁部材等に接続された上部柱と、前記下部柱と前記上部柱の間に取り外し可能に連結された階高調整部材と、から構成されることを特徴とする。
【発明の効果】
【００１３】
本発明によれば、各階の床ごとに昇降装置を設ける必要がなく、容易に各階の階高を変更することができる。
【発明を実施するための最良の形態】
【００１４】
以下、本発明の吊構造建物の一実施形態について図面を参照しながら説明する。
図１は、本実施形態の吊構造建物１００の構成を示す正面図である。同図に示すように、本実施形態の吊構造建物１００は、複数の垂直部材（特許請求の範囲における支持部材に相当）２０及びこれらの垂直部材２０の間に架設された水平部材（特許請求の範囲における主ビームに相当）１０からなるメガフレーム３０と、各階の床を構成する床スラブ及び梁が一体となった梁床部材４０と、水平部材１０と最上階の梁床部材４０の間及び各階の梁床部材４０の間を連結する吊柱５０と、垂直部材２０と各階の梁床部材４０とを連結する連結部材６０と、を備える。
【００１５】
図２は、上下階の梁床部材４０の間に設置された吊柱５０の鉛直断面図であり、図３は、吊柱５０の斜視図である。図２及び図３に示すように、吊柱５０は、上端が上階の梁床部材４０の梁４１に接続された断面環状の上部柱５１と、下端が下階の梁床部材４０の梁４２に接続された断面環状の下部柱５３と、上部柱５１及び下部柱５３の間に介装された断面環状の階高調整部材５２と、から構成される。図３に示すように、上部柱５１及び下部柱５２は鋼管からなる。また、階高調整部材５２は、軸方向に延びるように複数に分割された鋼管１５２をボルト接合することにより構成されており、組立及び撤去を容易に行うことができる。
【００１６】
また、上部柱５１、下部柱５３、及び階高調整部材５２の接合端部には、夫々エンドプレート５１Ａ、５２Ａ、５３Ａが取り付けられており、これらのエンドプレート５１Ａ、５２Ａ、５３Ａをボルト接合することにより、上部柱５１、階高調整部材５２、及び下部柱５３が接続されている。なお、本実施形態では、上部柱５１、下部柱５３、及び階高調整部材５２を、エンドプレートをボルト接合することにより接続しているが、取り外し可能に接続できれば、他の方法により接続してもよい。
【００１７】
上部柱５１、下部柱５３、及び階高調整部材５２のエンドプレート５１Ａ、５２Ａ、５３Ａ、上階の梁４１、及び下階の梁４２には、鉛直方向に略一直線上に並ぶ位置に、後述するリフトアップ用のロッドを挿通させるための開口４１Ｂ、４２Ｂ，５１Ｂ，５２Ｂ、５３Ｂが夫々設けられている。
【００１８】
図４は、メガフレーム３０の垂直部材２０と、梁床部材４０との連結部分の構成を拡大して示す図である。同図に示すように、メガフレーム３０の垂直部材２０と、梁床部材４０との間には、連結部材６０が介装されており、垂直部材２０及び梁床部材４０と連結部材６０とは、夫々に取付けられたエンドプレート２０Ａ、４０Ａ、６０Ａをボルト接合することに接続されている。連結部材６０としては、梁床部材４０をメガフレーム３０の垂直部材２０に対して剛に接続できるように、剛性部材を用いる構成としてもよいし、ばね部材やダンパーなどを用いる構成としてもよい。なお、本実施形態では、連結部材６０をエンドプレートをボルト接合することにより接続しているが、取り外し可能に接続できれば、他の方法により接合してもよい。
【００１９】
以下、上記の吊構造建物１００の階高を変更する方法を説明する。
本実施形態の階高の変更方法では、鋼製の節つきのロッドと、ロッドに沿って昇降可能なジャッキとから構成される昇降装置を用いて梁床部材４０の高さを変更する。以下の説明では、昇降装置を構成するロッドを全ての梁床部材４０を貫通するように設けるか、一部の梁床部材４０を貫通するように設けるか、及び、ロッドを吊柱内に設置するか否かに応じて、４つの場合に分けて説明する。
【００２０】
＜ロッドを一部の階の梁床部材を貫通するように吊柱内に配置する場合＞
まず、ロッド７１を一部の階の梁床部材４０を貫通するように吊柱５９内に配置する方法を、２階の梁床部材４０の階高を変更する場合に適用した例を説明する。
図５は、ロッド７１を一部の階の梁床部材４０を貫通するように配置する方法により、例えば、２階の階高を変更する工程を説明するための図である。
同図に示すように、まず、ＳＴＥＰ１において、以下に詳述するようにロッド７１とジャッキ７０からなる昇降装置７３を、階高変更階である２階より上階（本実施例では３階）の梁床部材４０に反力をとりながら、２階の梁床部材４０を吊持するように設置する。
【００２１】
図６は、ロッド７１を取付ける様子を示す鉛直断面図である。同図に示すように、上階（３階）の梁４１と、階高変更階（２階）の梁４２と、上部柱５１、下部柱５３、及び階高調整部材５２のエンドプレート５１Ａ，５２Ａ，５３Ａと、に設けられた開口４１Ｂ，４２Ｂ、５１Ｂ、５２Ｂ、５３Ｂを貫通するように階高変更階（２階）の梁４２の下方よりロッド７１を挿入し、上階（３階）の下部柱５３の側面に設けられた開口部５３Ｃより、ロッド７１の上端にナット７６及びアンカープレート７５を取付ける。こうして、ナット７６及びアンカープレート７５からなる定着部７２を上階の梁４１の上面に係合させることにより、ロッド７１の上端を上階の梁４１に定着することができる。なお、ロッド７１としては、長さ方向に複数に分割されており、必要な長さに応じて連結可能なものが好適である。
【００２２】
そして、ロッド７１の、下階の梁４２の下面から突出した部分にジャッキ７０を取付ける。このようなジャッキ７０としては例えば、伸縮を繰り返すことによって、ロッド７１に沿って昇降可能なシャックル付きのジャッキ（例えば、ＪＦＥシビル株式会社製）などが適している。
【００２３】
図５に戻り、次に、ＳＴＥＰ２に示すように、階高変更階（２階）の吊柱５０の階高調整部材５２を撤去するとともに、２階の梁床部材４０とメガフレーム３０の垂直部材２０とを接続する連結部材６０を撤去する。なお、上記のように階高調整部材５２は、長さ方向に分割された一対の鋼管１５２をボルト接合することにより構築されているため、容易に撤去することができる。また、連結部材６０もエンドプレートをボルト接合することにより取り付けられているため、容易に撤去することができる。
【００２４】
次に、図５のＳＴＥＰ３に示すように、２階の梁床部材４０をロッド７１により吊持した状態で、ジャッキ７０をロッド７１に沿って下降させることにより、２階の梁床部材４０を所定の高さまで下降させる。なお、２階の階高を低くする場合には、２階の梁床部材４０を所定の高さまで上昇させる。
【００２５】
次に、図５のＳＴＥＰ４に示すように、変更後の２階の階高に合わせた長さの階高調整部材５２を上部柱５１及び下部柱５３の間に介装し、エンドプレート５１Ａ，５２Ａ，５３Ａをボルト接合することにより、２階の吊柱５０を再構築する。また、２階の梁床部材４０とメガフレーム３０を構成する垂直部材２０とを連結部材６０により連結する。
【００２６】
次に、図５のＳＴＥＰ５に示すように、昇降装置７３を解体して撤去する。
以上の工程により、２階の梁床部材４０を下方（又は上方）へ移動させて、２階の階高を高く（又は低く）することができる。
このように、ロッド７１を一部の階の梁床部材４０を貫通するように配置する方法は、特定の階の階高を変更する場合に有効である。
【００２７】
なお、上記の工程では、ロッド７１の上端を階高を変更する階の直上の階の梁床部材４０に定着させるものとしたが、これに限らず、階高を変更する階よりも上の階であれば、いずれの階の梁床部材４０に定着させてもよく、メガフレーム３０の水平部材１０に上端を定着させる構成としてもよい。
【００２８】
上記の説明では、梁床部材４０が吊持される階のうち最下階（すなわち、２階）の階高を変更するものとしたが、これに限らず、途中の階（すなわち、吊構造建物１００の３階以上の階）の階高を変更することも可能である。以下、７階の階高を変更する場合を例として説明する。
【００２９】
図７は、ロッド７１を一部の階の梁床部材４０を貫通するように配置する方法により、例えば７階の階高を変更する工程を説明するための図である。
７階の階高を変更する場合には、まず、図７のＳＴＥＰ１に示すように、階高変更階（７階）の下階（６階）の吊柱５０の周囲に仮設の吊柱７７を構築する。
【００３０】
次に、ＳＴＥＰ２に示すように、６階の吊柱５０を撤去する。この時、６階の梁床部材４０は、仮設の吊柱７７により吊持される。そして、この吊柱５０を撤去した位置より、７階の吊柱５０内に下方からロッド７１を挿入し、階高変更階（７階）の上階（８階）の梁床部材４０に定着させる。そして、６階の吊柱５０を撤去した部分において、７階の梁床部材４０の下面から突出するロッド７１の下端部に、７階の梁床部材４０を支持するようにジャッキ７０を設置し、昇降装置７３を組み立てる。
次に、ＳＴＥＰ３に示すように、７階の階高調整部材５２を撤去するとともに、階高を変更する階及びそれよりも下階（２〜７階）の連結部材６０を撤去する。
【００３１】
次に、ＳＴＥＰ４に示すように、ジャッキ７０をロッド７１に沿って降下させることにより、階高変更階（７階）及びそれよりも下階（２〜６階）の梁床部材４０と、これらを連結する吊柱５０を、７階の梁床部材４０が所定の高さになるまで降下させる。なお、７階の階高を低くする場合には、７階の梁床部材４０が所定の高さになるまで上昇させる。
【００３２】
次に、ＳＴＥＰ５に示すように、７階の上部柱５１と下部柱５３の間に、変更後の７階の階高に合わせた長さの階高調整部材５２を接続し、吊柱５０を再構築するとともに、２〜７階の梁床部材４０と、メガフレーム３０を構成する垂直部材２０との間に夫々連結部材６０を設置する。そして、昇降装置７３を解体して撤去する。
【００３３】
次に、ＳＴＥＰ６に示すように、６階の吊柱５０を再構築し、仮設の吊柱７７を撤去する。
以上の工程により、３階以上の階の階高を変更することが可能である。
【００３４】
なお、上記の工程では、ジャッキ７０を階高変更階の梁床部材４０を下方から支持するように設置したが、これに限らず、階高変更階よりも下の階であれば、いずれの階の梁床部材４０を下方から支持するように設置してもよい。
【００３５】
＜ロッドを全ての階の梁床部材を貫通するように吊柱内に配置する場合＞
次に、ロッド７１を全ての階の梁床部材４０を貫通するように吊柱５０内に配置する方法により複数の階の階高を変更する場合について説明する。
図８は、ロッド７１を全ての階の梁床部材４０を貫通するように吊柱５０内に配置して、例えば、３階及び７階の階高を変更する工程について説明するための図である。
図８に示すように、まず、ＳＴＥＰ１において、最上階（８階）の吊柱５０の上部の開口よりロッド７１を全階の吊柱５０内部に挿通させる。そして、ロッド７１の上端をメガフレーム３０を構成する水平部材１０に定着部７２により反力をとるとともに、ロッド７１の２階の梁床部材４０の下面から突出する部分に、２階の梁床部材４０を下方から支持するようにジャッキ７０を設置し、昇降装置７３を組み立てる。
【００３６】
次に、ＳＴＥＰ２において、３階の階高を変更するべく、この３階の階高調整部材５２を撤去するとともに、階高変更階（３階）よりも下の階（２階）の連結部材６０を撤去する。
【００３７】
次に、ＳＴＥＰ３において、水平部材１０に反力を取りながらロッド７１に沿ってジャッキ７０を上昇させることにより、２階及び３階の梁床部材４０及びこれらの梁床部材４０の間に設置された吊柱５０を上昇させ、３階の階高を低くする。なお、３階の階高を高くする場合には、ロッド７１に沿ってジャッキ７０を下降させる。
【００３８】
次に、ＳＴＥＰ４において、３階の上部柱５１と下部柱５３とに、変更後の３階の階高に合わせた長さの階高調整部材５２を接続し、３階の吊柱５０を再構築する。そして、２階及び３階の梁床部材４０と、メガフレーム３０を構成する垂直部材２０とを連結部材６０により連結する。
【００３９】
次に、ＳＴＥＰ５において、７階の梁床部材４０及び吊柱５０に対して、上記のＳＴＥＰ２〜ＳＴＥＰ４の工程を行う。これにより、７階の階高を変更することができる。
次に、ＳＴＥＰ６において、昇降装置７３を解体し、撤去する。
以上の工程により３階及び７階の階高を変更することができる。
このように、ロッド７１を全ての階の梁床部材４０を貫通するように設ける方法によれば、昇降装置７３を設置し直すことなく、複数の階の階高を変更することができる。
【００４０】
＜ロッドを一部の階の梁床部材を貫通するように吊柱の外部に設置する場合＞
次に、ロッド７１を一部の階の梁床部材４０を貫通するように吊柱５０の外部に設置して、複数の階高を変更する方法について説明する。なお、このようにロッド７１を吊柱５０の外部に設置する場合には、吊柱５０を中空としなくてもよい。
【００４１】
図９は、ロッド７１を吊柱５０の外部に設置して階高を変更する方法を説明するための図である。
ロッド７１を吊柱５０の外部に設置する場合には、上記説明した図７のＳＴＥＰ１における階高を変更する階の下階に仮設の吊柱７７を取付ける工程及び図７のＳＴＥＰ６における階高を変更する階の下階に本設の吊柱５０を取付け、仮設の吊柱７７を撤去する作業が不要となる。
【００４２】
すなわち、例えば、６階の階高を変更する場合、図９に示すように、まず、ＳＴＥＰ１において、階高変更階（６階）及びその上階（７階）の梁床部材４０に開口を設け、この開口にロッド７１を挿通し、階高変更階（６階）の梁床部材４０に定着させる。そして、７階の梁床部材４０の上面から突出するロッド７１の上端部に、７階の梁床部材４０に反力を取るようにジャッキ７０を設置することで、昇降装置７３を組み立てる。
【００４３】
次に、ＳＴＥＰ２において、階高変更階（６階）の階高調整部材５２を撤去するとともに、２〜６階の連結部材６０を撤去する。
次に、ＳＴＥＰ３において、昇降装置７３のジャッキ７０が７階の梁床部材４０に反力をとりながら、ロッド７１を引き上げることにより、２〜６階の梁床部材４０及びこれらを連結する吊柱５０を所定の高さまで吊り上げる。これにより、６階の階高を低くできる。なお、階高を高くする場合には、ジャッキ７０によりロッド７１を繰り出して吊り降ろす。
【００４４】
次に、ＳＴＥＰ４において、６階の上部柱５１及び下部柱５３の間に、変更後の６階の階高に合わせた長さの階高調整部材５２を接続し、吊柱５０を再構築するとともに、２〜６階の梁床部材４０と垂直部材２０とを連結部材６０により連結する。
次に、ＳＴＥＰ５において、昇降装置７３を解体して撤去する。
以上の工程により、階高を変更することができる。
【００４５】
＜ロッドを全ての階の梁床部材を貫通するように吊柱の外部に設置する場合＞
また、ロッド７１を全ての階の梁床部材を貫通するように吊柱５０の外部に設置することも可能である。
図１０は、ロッド７１を、全ての階の梁床部材４０を貫通するように、吊柱５０の外部に設置して階高を変更する方法を説明するための図である。
ロッド７１を吊柱５０の外部に設置する場合には、図８のロッド７１を、全ての階の梁床部材４０を貫通するように、吊柱５０の内部に設置した場合と同様の工程で階高を変更することができる。なお、以下の説明では、４階と６階の階高を変更する場合について説明する。
【００４６】
まず、図１０のＳＴＥＰ１において、２〜８階の梁床部材４０に鉛直方向に同一直線上に並ぶように開口を設け、この開口にロッド７１を挿通させる。そして、ロッド７１の下端を２階の梁床部材４０を下方より支持するように定着させるとともに、ロッド７１の水平部材１０の上面より突出する上端部に、水平部材１０に反力を取るようにジャッキ７０を設置し、昇降装置７３を組み立てる。
【００４７】
次に、ＳＴＥＰ２において、階高を変更する階（４階）の吊柱５０を構成する階高調整部材５２を撤去するとともに、２〜４階の連結部材６０を撤去する。
【００４８】
次に、ＳＴＥＰ３において、ジャッキ７０によりロッド７１を下方へ繰り出し、吊り降ろすことにより、２〜４階の梁床部材４０及びこれらの梁床部材４０の間に設置された吊柱５０を下降させ、４階の階高を高くする。なお、４階の階高を低くする場合には、ジャッキ７０によりロッド７１を引き上げる。
【００４９】
次に、ＳＴＥＰ４において、４階の上部柱５１と下部柱５３との間に、変更後の４階の階高に合わせた長さの階高調整部材５２を接続し、４階の吊柱５０を再構築する。そして、２〜４階の梁床部材４０と、垂直部材２０とを連結部材６０により連結する。
【００５０】
次に、ＳＴＥＰ５において、６階の梁床部材４０及び吊柱５０に対して、上記のＳＴＥＰ２〜ＳＴＥＰ４を行う。これにより、６階の階高を変更することができる。
次に、ＳＴＥＰ６において、ジャッキ７０及びロッド７１を取り外し、昇降装置７３を解体する。
以上の工程により４階及び６階の階高を変更することができる。
【００５１】
このように、ロッド７１を全ての階の梁床部材４０を貫通するように設ける方法は、昇降装置７３を設置し直す必要がないため、複数の階の階高を変更する場合に特に有効である。
【００５２】
以上説明したように、本実施形態の吊構造建物の階高の変更方法によれば、各梁床部材４０に対応して昇降装置７３を設ける必要がなく、最小限な昇降装置７３のみで階高を変更することが可能であるため、コストを削減することができる。
【００５３】
なお、上記の各実施形態では、ジャッキ７０がロッド７１に沿って昇降することにより、梁床部材４０を昇降させる構成としたが、ロッド７１に変えて鋼線や鋼棒などを用いることもできる。
【００５４】
また、図５、図７、図８に示す方法では、ロッド７１の上端部を定着部７２により階高変更階よりも上階の梁床部材４０又は水平部材１０に定着させ、ジャッキ７０を階高変更階又はそれよりも下階の梁床部材４０を下方から支持するように設置し、ロッド７１に沿ってジャッキ７０を昇降させることにより階高を変更する構成としたが、これに限らず、階高変更階又はそれよりも下階の梁床部材４０を下方からロッド７１の定着部７２により支持し、階高変更階よりも上階の梁床部材４０又は水平部材１０に反力をとるようにジャッキ７０を設置し、このジャッキ７０によりロッド７１を引き上げる又は繰り出すことにより階高を変更してもよい。
【００５５】
また、図９、図１０に示す方法では、階高変更階又はそれよりも下階の梁床部材４０を下方から支持するようにロッド７１の定着部７２を定着させ、階高を変更する階よりも上階の梁床部材４０又は水平部材１０上に反力をとるようにジャッキ７０を設置し、ジャッキ７０によりロッド７１を引き上げ又は繰り出すことにより階高を変更する構成としたが、これに限らず、階高変更階又はそれよりも下階の梁床部材４０を下方から支持するようにジャッキ７０を設置し、ロッド７１の上端部を階高変更階よりも上階の梁床部材４０又は水平部材１０に定着部７２により定着させ、ロッド７１に沿ってジャッキ７０を昇降させることにより階高を変更してもよい。
【００５６】
また、本実施形態では、吊柱４０を上部柱４１と、下部柱４３と、上部柱４１及び下部柱４３に介装された階高調整部材４２とで構成したが、これに限らず、上部柱４１及び下部柱４３を設けず、直接、上階の梁と下階の梁を連結するように階高調整部材を設ける構成としてもよい。この場合、吊柱５０全体が撤去されることになる。
また、吊柱４０を伸縮可能、かつ、適宜な長さで固定可能な構成とし、階高調整部材４２を撤去する工程に変えて吊柱を伸縮可能な状態とする工程を行い、変更後の階高に合わせた長さの階高調整部材４２を上部柱４１及び下部柱４３に接続する工程に変えて、吊柱を変更後の階高に合わせて伸縮させ、その長さで固定する工程を行ってもよい。
【００５７】
また、本実施形態では、梁床部材４０とメガフレーム３０の垂直部材２０との間に連結部材６０を介装する構成としたが、これに限らず、連結部材６０を省略することも可能である。
【００５８】
また、本実施形態では、各階の梁と床が一体となった梁床部材４０が吊持された吊構造建物１００に対して、本発明の階高の変更方法を適用した場合について説明したが、これに限らず、梁と床が別体である梁部材又は床部材のみが吊持された吊構造建物に対しても本発明を適用することができる。
また、本実施形態では、全ての階の梁床部材４０が吊柱５０を介して吊持されている場合について説明したが、これに限らず、一部の階の梁床部材４０が吊柱５０を介して吊持されている吊構造建物に対しても、本発明の階高変更方法を適用することができる。
【００５９】
なお、上記のような吊構造建物１００の階高を変更する場合には、階高変更階の梁床部材４０を下降（又は上昇）させることにより、階高変更階の階高を高く（又は低く）するのにともなって、それ以外の何れかの階の天井（すなわち、上階の梁床部材４０）が下降（又は上昇）し、階高を低く（又は高く）することとなる。上記各実施形態では、階高変更階の梁床部材４０を昇降させ、階高を変更するとともに、１階の天井（すなわち、２階の梁床部材４０）を昇降させ、１階の階高を変更している。しかし、本発明の階高変更方法では、階高変更階の階高を変更するのにともなって階高が変更される階を１階以外の途中階とすることも可能である。
【００６０】
以下、階高変更階の梁床部材４０を昇降させて階高を変更するのにともない、天井が昇降して階高が変更される階を途中階とした場合の階高変更方法の一例として、図１１を参照しながら、６階の梁床部材４０を上昇させることにより階高を低くするとともに、３階の天井（すなわち、４階の梁床部材４０）を上昇させて階高を高くする場合の階高変更方法を説明する。
このような場合には、まず、ＳＴＥＰ１において、ロッド７１を６〜８階の梁床部材４０に設けられた開口に挿通させる。そして、ロッド７１の下端を６階の下端を６階の梁床部材４０を下方より支持するように定着部７２により定着させ、ロッド７１の水平部材１０の上面より突出する上端部に、水平部材１０に反力をとるようにジャッキ７０を設置し、昇降装置７３を組み立てる。そして、２階の梁床部材４０を下方より支持するように、２階の梁床部材４０と地上面との間にベント１４０を介装させる。
【００６１】
次に、ＳＴＥＰ２において、３階及び６階の階高調整部材を撤去するとともに、４階から６階の連結部材６０を撤去する。
次に、ＳＴＥＰ３において、ジャッキ７０によりロッド７１を上方へ引き上げることにより、４〜６階の梁床部材４０及びこれらの梁床部材４０の間に設置された吊柱５０を上昇させ、６階の階高を低くするとともに、３階の階高を高くする。なお、６階の階高を高くするとともに、３階の階高を低くする場合には、ジャッキ７０によりロッド７１を下方へ繰り出せばよい。
【００６２】
次に、ＳＴＥＰ４において、３階及び６階の上部柱５１と下部柱５３との間に、変更後の夫々の階の階高に合わせた長さの階高調整部材５２を接続し、３階及び６階の吊柱５０を再構築する。そして、４〜６階の梁床部材４０と、垂直部材２０とを連結部材６０により連結する。
次に、ＳＴＥＰ５において、昇降装置７３及びベント１４０を撤去する。
以上の工程により３階及び６階の階高を変更することができる。
【００６３】
このように、本発明の階高変更方法では、いずれかの階（上記実施形態では６階）の梁床部材４０を昇降させると同時に、他の階（上記実施形態では３階）の天井（すなわち４階の梁床部材４０）が昇降し、この階の階高も変更されることとなる。このような場合には、梁床部材４０を昇降させた階（上記の実施形態では６階）が本発明の階高変更階に相当する。
【図面の簡単な説明】
【００６４】
【図１】本実施形態の吊構造建物の構成を示す図である。
【図２】上階及び下階の梁床部材の間に設置された吊柱の詳細な構成を示す鉛直断面図である。
【図３】吊柱の構成を示す斜視図である。
【図４】メガフレームの垂直部材と、梁床部材の間に介装された連結部材の構成を示す図である。
【図５】ロッドを一部の階の梁床部材を貫通するように配置する方法により２階の階高を変更する工程を説明するための図である。
【図６】ロッドを取付ける様子を示す鉛直断面図である。
【図７】ロッドを一部の階の梁床部材を貫通するように配置する方法により７階の階高を変更する工程を説明するための図である。
【図８】ロッドを全ての階の梁床部材を貫通するように吊柱内に配置する方法により３階及び７階の階高を変更する工程について説明するための図である。
【図９】ロッドを吊柱の外部に設置した場合の階高の変更方法を説明するための図である。
【図１０】ロッドを、全ての階の梁床部材を貫通するように、吊柱の外部に設置した場合の階高の変更方法を説明するための図である。
【図１１】６階の階高を低くするとともに３階の階高を高くする場合の階高変更方法を説明するための図である。
【符号の説明】
【００６５】
１０  水平部材
２０  垂直部材
３０  メガフレーム
４０  梁床部材
４１  上階の水平部材
４１Ｂ、４２Ｂ，５１Ｂ，５２Ｂ、５３Ｂ  開口
４２  下階の水平部材
５０  吊柱
５１  上部柱
５１Ａ、５２Ａ、５３Ａ  エンドプレート
５２  階高調整部材
５３  下部柱
６０  連結部材
７０  ジャッキ
７１  ロッド
７２  定着部
７３  昇降装置
７７  仮設の吊柱
１００  吊構造建物
【図３】
2008255746.tif 000003
【図１】
2008255746.tif 000004
【図２】
2008255746.tif 000005
【図４】
2008255746.tif 000006
【図５】
2008255746.tif 000007
【図６】
2008255746.tif 000008
【図７】
2008255746.tif 000009
【図８】
2008255746.tif 000010
【図９】
2008255746.tif 000011
【図１０】
2008255746.tif 000012
【図１１】
2008255746.tif 000013